(57)【要約】【課題】ビデオテープカセットを記録媒体とした磁気録画再生装置とビデオカメラとを一体的に組み込んだ録画装置付きビデオカメラに関するもので、携帯時など磁気録画再生装置の不使用時には、外形をより小さくできる構成を提供する。【解決手段】テープカセツト１０を収納するカセツトホルダーを、下カセツトホルダー６とその下カセットホルダー６に摺動可能に取り付けられた上カセットホルダー５で構成して、収納されるテープカセットの厚み方向に伸縮可能に構成し、前記カセットホルダー内にテープカセット１０が収納されていない時には、収納時に比べて厚み方向に縮小することにより、磁気録画再生装置の不使用時におけるカセツトホルダーの筐体１からの突出量を小さする。【選択図】  図３
2004192691.tif 000002
【特許請求の範囲】
【請求項１】
カセットホルダーを、筐体より突出したテープカセット装填位置とそのカセット装填位置より筐体内に押し込まれ、カセットホルダー内に収納されたテープカセットが筐体内のリール台に係合可能な記録再生位置との間を移動可能に構成した録画装置付きビデオカメラであって、前記カセツトホルダーを前記収納されるテープカセットの厚み方向に伸縮可能に構成し、前記記録再生位置において、前記カセットホルダー内にテープカセットが収納されていない時には、収納時に比べて厚み方向に縮小することを特徴とする録画装置付きビデオカメラ。
【請求項２】
前記カセットホルダーは、その間にテープカセツトを収納可能な収納空間を形成する下カセットホルダーと上カセットホルダーとより構成され、前記上カセットホルダーは前記下カセットホルダーに前記収納空間が小さくなるように摺動移動可能に取り付けられていることを特徴とする請求項１記載の録画装置付きビデオカメラ。
【請求項３】
前記上カセットホルダーは、前記収納空間がテープカセットを収納可能な大きさの記録再生位置で筐体内に設けられたロック手段によりロックされるとともに、その位置よりさらに下カセットホルダーに近接した位置で前記ロック手段によりロックされることを特徴とする請求項１記載の録画装置付きビデオカメラ。
【発明の詳細な説明】
【０００１】
【発明の属する技術分野】
本発明は、ビデオテープカセットを記録媒体とした磁気録画再生装置とビデオカメラとを一体的に組み込んだ録画装置付きビデオカメラに関するもので、携帯時などに、より小型化にできる構成に特徴を有するものである。
【０００２】
【従来の技術】
従来より、この種の録画装置付きビデオカメラにおいては図６に示すように、装置の筐体１よりテープカセツト２を装填するためにカセツトホルダー３を引き出し、テープカセツト２を装填した後に、このカセツトホルダー３を図７に示すように元の状態に押し込んだ状態で記録再生する構成がとられている（例えば、特許文献１参照。）。
【０００３】
【特許文献１】
特開平４−３１８３６７号公報（第１図）
【０００４】
【発明が解決しようとする課題】
しかしながら、前述のような構成においては、テープカセットを装填した記録再生が可能な使用状態も、テープカセツトを装填していない磁気録画再生装置の不使用状態においても、その外観形状は図７に示す形状となり全く同一である。本発明は、この磁気録画再生装置の不使用状態である単なる携帯時などには、装置全体の外観形状をより小さくし、携帯に便利な構成を提供するものである。
【０００５】
【課題を解決するための手段】
上記課題を解決する本発明は、テープカセツトを収納するカセツトホルダーを、収納されるテープカセットの厚み方向に伸縮可能に構成し、前記カセットホルダー内にテープカセットが収納されていない時には、収納時に比べて厚み方向に縮小することにより、磁気録画再生装置の不使用時におけるカセツトホルダーの筐体からの突出量を小さくし、装置全体の外観形状をより小さくしたものである。
【０００６】
【発明の実施の形態】
本発明の請求項１に記載の発明は、カセットホルダーを、筐体より突出したテープカセット装填位置とそのカセット装填位置より筐体内に押し込まれ、カセットホルダー内に収納されたテープカセットが筐体内のリール台に係合可能な記録再生位置との間を移動可能に構成した録画装置付きビデオカメラであって、前記カセツトホルダーを前記収納されるテープカセットの厚み方向に伸縮可能に構成し、前記記録再生位置において、前記カセットホルダー内にテープカセットが収納されていない時には、収納時に比べて厚み方向に縮小することを特徴とする録画装置付きビデオカメラであり、カセットホルダー内にテープカセットが収納されていない時には、カセツトホルダーの厚みを小さくすることによって、不使用時などにおけるカセツトホルダーの筐体からの突出量を小さくし、装置全体の外観形状をより小さくしたものである。
【０００７】
本発明の請求項２に記載の発明は、前記カセットホルダーは、その間にテープカセツトを収納可能な収納空間を形成する下カセットホルダーと上カセットホルダーとより構成され、前記上カセットホルダーは前記下カセットホルダーに前記収納空間が小さくなるように摺動移動可能に取り付けられていることを特徴とする請求項１記載の録画装置付きビデオカメラであり、カセットホルダーの厚みを可変にする有効な手段を提供する。
【０００８】
本発明の請求項３に記載の発明は、前記上カセットホルダーは、前記収納空間がテープカセットを収納可能な大きさの記録再生位置で筐体内に設けられたロック手段によりロックされるとともに、その位置よりさらに下カセットホルダーに近接した位置でも前記ロック手段によりロックされることを特徴とする請求項２記載の録画装置付きビデオカメラであり、本発明の所期の目的を達成するのに有効な具体的手段を提供する。
【０００９】
（実施の形態）
以下に、本発明の請求項１ないし３に記載された発明の実施形態について、図面を用いて説明する。
図１は本発明の録画装置付きビデオカメラにおけるカセットホルダーを装置筐体より引き出した状態、すなわち、テープカセットを装填および取り出し可能な状態を示す要部平面図、図２はテープカセットが装填されたカセツトホルダーを筐体内に押し込んだ状態、すなわち、記録再生可能な状態を示す要部平面図、図図３はテープカセットが装填されていないカセツトホルダーを筐体内に押し込んだ状態、すなわち、携帯時などの磁気録画装置の不使用状態を示す要部平面図、図４はカセットホルダーの一部を示す斜視図である。
【００１０】
これらの図において、５および６はそれぞれ断面が略コ字状の下カセツトホルダーと上カセットホルダーであり、この上カセツトホルダー６の両側壁に固定された係合ピン７は、図４に示すように下カセツトホルダー５の側面に形成された長孔８に摺動移動可能にそれぞれ係合している。すなわち、前記上下両カセツトホルダー６，５により一方がカセツト着脱のために開口した略直方体形の箱状のカセットホルダーを形成し、かつ、その厚みとなる上下カセットホルダー６，５間の間隔が前記摺動移動により可変に構成されている。
【００１１】
そして、前記上カセツトホルダー６は常時筐体内に組み込まれた模式的に示すばね９によって筐体１より引き出される方向Ａに弾性付勢されている。従って、前記上カセットホルダー６は、前記ばね９によって、前記下カセットホルダー５より離れる方向にも弾性付勢されている。
【００１２】
前述の構成よりなるカセットホルダーを装置筐体より引き出した図１に示す状態でテープカセツト１０を、上下カセツトホルダー６，５間に形成されたカセット収納空間に所定の位置まで挿入し、その状態で上カセツトホルダー６を押圧して、ばね９の力に抗して図２に示す記録再生可能な位置まで移動させる。この記録再生可能な位置においては、テープカセツト１０内のテープリールが筐体内に配置されたリール台１１に係合し、かつ、上カセットホルダー６の側面に形成された第１の係合突起１３が装置側に設けられた係合爪１４と係合して、ばね９およびばね１２の弾性力に抗してその位置を保持するようにロックされている。なお、１２はテープカセツト１０を確実にリール台１１に係合せしめるための円弧状ばねである。
【００１３】
この記録再生可能な状態より前記係合爪１４と係合突起１３との係合を解くとばね９の弾性力により図１の位置に復帰する。
一方、図１の状態でカセットホルダーにテープカセツト１０を挿入することなく、上カセツトホルダー６を押圧して、カセットホルダーを筐体内に押し込むと、まず図２に示す位置まで下テープカセツト５も移動する。
この状態で、さらに上カセットホルダー６を押すとカセツトホルダーの収納空間内にテープカセットが収納されていないため、上カセットホルダー６のみ移動して、さらに、押し込まれて、図３に示す状態になる。この時、上カセツトホルダー６の側面に設けられた第２の係合突起１５が前記係合爪１４と係合してこの状態を保持するものである。ちなみに、図４の１９、１８，１７は、それぞれ上カセットホルダー６のテープカセツト装填可能位置、記録再生可能位置、カセット非装填時の位置を示している。
【００１４】
従って、従来、テープカセットを装填しない状態でも、図７に示すようにカセットを装填したのと同じ外形であつたものが、例えば、図５に示すように、テープカセットを装填しない状態ではその外形を小さくできるものである。
【００１５】
【発明の効果】
以上のように、本発明によれば、テープカセットを装填しない状態では、カセットホルダーをより筐体内に押し込めるため、録画装置付きビデオカメラの外形形状をより小さくでき、携帯に好都合なものである。
【図面の簡単な説明】
【図１】本発明の実施の形態における録画装置付きビデオカメラのカセットホルダーを装置筐体より引き出した状態を模式的に示す要部平面図
【図２】同録画装置付きビデオカメラのカセットホルダーを記録再生可能位置まで押し込んだ状態を模式的に示す要部平面図
【図３】同録画装置付きビデオカメラのカセットホルダーをテープカセツト非装填で押し込んだ状態を模式的に示す要部平面図
【図４】同録画装置付きビデオカメラのカセットホルダーの要部を示す斜視図
【図５】同録画装置付きビデオカメラの概要を示す側断面図
【図６】従来の録画装置付きビデオカメラのテープカセット装填時の概要を示す側断面図
【図７】同従来の録画装置付きビデオカメラの記録再生状態のの概要を示す側断面図
【符号の説明】
１  筐体
２  テープカセット
３    カセットホルダー
５  下カセットホルダー
６  上カセットホルダー
７  係合ピン
８  長孔
９、１２  ばね
１０  テープカセット
１１  リール台
１３  第１の係合突起
１４  係合爪
１５  第２の係合突起
【図１】
2004192691.tif 000003
【図２】
2004192691.tif 000004
【図３】
2004192691.tif 000005
【図４】
2004192691.tif 000006
【図５】
2004192691.tif 000007
【図６】
2004192691.tif 000008
【図７】
2004192691.tif 000009